(57)【特許請求の範囲】
【請求項１】
無線通信システムにおけるプリコーダマトリクスインジケータ（ＰＭＩ）を計算する方法であって、
前記無線通信システムは、１又は複数のユーザ装置（ＵＥ）と通信可能な基地局（ｅＮＢ）及び基準サブセットとして指定されたサブセットの１つを伴う複数のアンテナサブセットに分割される前記ｅＮＢに関連する複数の送信アンテナの集合を含み、
前記ＵＥは、個々の前記複数のサブセットに対する複数のＰＭＩを計算可能であり、前記ｅＮＢがプリコーディングにおいて使用するために前記ｅＮＢに前記複数のＰＭＩを報告可能であって、
前記方法は、
前記基準サブセットに対する前記ＰＭＩに基づいて又は前記ＰＭＩを使用して所定のサブセットに対するＰＭＩを計算することを含む、方法。
【請求項２】
前記無線通信システムは、マルチプルインプットマルチプルアウトプット（multiple-input multiple-output（ＭＩＭＯ））システムであり、
前記ｅＮＢに関連する前記複数の送信アンテナは、ＵＥに関連する複数の受信機アンテナにより受信することが出来る信号を送信可能である、
請求項１に記載の方法。
【請求項３】
前記無線通信システムは、マルチユーザＭＩＭＯ（ＭＵ−ＭＩＭＯ）システムであり、
前記ｅＮＢに関連する前記複数の送信アンテナは、複数のＵＥに同時に信号を送信可能であり、前記ＵＥの各々は、複数の受信機アンテナを有する、
請求項１又は２に記載の方法。
【請求項４】
前記ＵＥは、アップリンクにおいて前記ｅＮＢに前記複数のＰＭＩを報告可能である、
請求項１乃至３のいずれか１項に記載の方法。
【請求項５】
前記基準サブセットに対する前記ＰＭＩに基づいて又は前記ＰＭＩを使用して、ＵＥによる所定のサブセットに対するＰＭＩを前記計算することは、同一アップリンク送信における前記ｅＮＢに報告される前記基準サブセットに対する前記ＰＭＩに基づいて又は前記ＰＭＩを使用して、所定のアップリンク送信において前記ｅＮＢに報告される前記所定のＰＭＩを計算することを含む、
請求項４に記載の方法。
【請求項６】
ＵＥにより前記ｅＮＢに報告される前記ＰＭＩは、前記アップリンクにおいて前記ＵＥにより前記ｅＮＢに報告されるチャネル状態情報（ＣＳＩ）の一部を形成する、
請求項４又は５に記載の方法。
【請求項７】
前記ＣＳＩは、ランクインジケータ（ＲＩ）及びチャネル品質インジケータ（ＣＱＩ）と同様に前記ＰＭＩを含む、
請求項６に記載の方法。
【請求項８】
無線通信システムにおけるプリコーダマトリクスインジケータ（ＰＭＩ）を計算する方法であって、
前記無線通信システムは、１又は複数のユーザ装置（ＵＥ）と通信可能な基地局（ｅＮＢ）、及び基準アンテナとして指定されたアンテナの１つを伴う複数のアンテナサブセットに分割される前記ｅＮＢに関連する複数の送信アンテナの集合を含み、
前記基準アンテナは、各アンテナサブセットの一部を形成し、
前記ＵＥは、個々の前記複数のアンテナサブセットに対する複数のＰＭＩを計算可能であり、前記ｅＮＢがプリコーディングにおいて使用するために前記ｅＮＢに前記複数のＰＭＩを報告可能であって、
前記方法は、
他のいずれの前記アンテナサブセットのＰＭＩと独立して、所定のアンテナサブセットに対するＰＭＩを計算することを含む、方法。
【請求項９】
１又は複数のユーザ装置（ＵＥ）と通信可能である基地局（ｅＮＢ）、及び基準サブセットとして指定されるサブセットの１つを伴う複数の送信アンテナサブセットに分割される前記ｅＮＢに関連する複数の送信アンテナの集合、を含み、
前記ＵＥは、個々の前記複数のサブセットに対して複数のＰＭＩを計算可能であり、前記ｅＮＢがプリコーディングにおいて使用するために前記複数のＰＭＩを前記ｅＮＢに報告可能であり、
所定のサブセットに対するＰＭＩは、前記基準サブセットに対する前記ＰＭＩに基づいて計算される、
無線通信システム。
【請求項１０】
１又は複数のユーザ装置（ＵＥ）と通信可能である基地局（ｅＮＢ）、及び基準アンテナとして指定されるアンテナの１つを伴う複数のアンテナサブセットに分割される前記ｅＮＢに関連する複数の送信アンテナの集合を含み、前記基準アンテナは、各アンテナサブセットの一部を形成し、
前記ＵＥは、個々の前記複数のアンテナサブセットに対する複数のＰＭＩを計算可能であり、前記ｅＮＢがプリコーディングにおいて使用するために前記複数のＰＭＩを前記ｅＮＢに報告可能であり、
所定のアンテナサブセットに対するＰＭＩは、他のいずれのアンテナサブセットのＰＭＩと独立して計算される、
無線通信システム。
【発明の詳細な説明】
【技術分野】
【０００１】
本発明は、エボルブドノードＢ（evolved Node B）が複数の送信アンテナの集合を複数のサブセットに分割し、ＵＥは複数の送信アンテナサブセットに対する複数のＰＭＩを報告する（フィードバックする）通信システムにおけるプリコーダマトリクスインジケータ（precoder matrix indicator（ＰＭＩ））の計算に関する。
【背景技術】
【０００２】
無線通信システムは、基地局（エボルブドノードＢ（evolved Node B（ｅＮＢ））として知られている）が、ｅＮＢの範囲内に存在するモバイルデバイス（ユーザ装置（user equipment（ＵＥ））として知られている)と通信するとして広く知られている。各ｅＮＢは、利用可能な帯域幅、つまり、周波数及び時間リソースを、それぞれのＵＥに割り当てるように分ける。より多くのユーザ(より多くのＵＥ)、より多くのデータ集約型サービス、及び／又は、より高いデータ伝送速度に対応するため、継続的にシステムの容量を増加させ、リソース利用の効率を改善させることが必要である。
【０００３】
ＯＦＤＭ（直交周波数分割多重（Orthogonal Frequency Division Multiplexing））は、無線通信システムにおいて、データを送信するために用いられる１つの技術である。ＯＦＤＭベースの通信方式は、多数のサブキャリア間で送信されるようにデータシンボルを分割する。そのため、「周波数分割多重」という用語が用いられる。データは、位相、振幅、又は位相及び振幅の両方を調整することにより、サブキャリア上で変調される。ＯＦＤＭという名前の「直交（orthogonal）」という部分は、周波数領域におけるサブキャリアの間隔が、数学的な意味で他のサブキャリアと直交するように選択されることを意味する。言い替えると、それらは、隣接するサブキャリアのサイドバンドが重複してもよいが、サブキャリアが受信される際に、サブキャリア間の干渉（inter-subcarrier interference）が十分に最小化されるように、周波数領域に配置される。
【０００４】
個々のサブキャリア又はサブキャリアの集合が、異なるユーザ（異なるＵＥ）に割り当てられる場合、ＯＦＤＭＡ（直交周波数分割多重アクセス（Orthogonal Frequency Division Multiple Access））と呼ばれるマルチアクセスシステムになる。ＯＦＤＭと言う用語は、しばしば、ＯＦＤＭＡを含むことを意図する。したがって、２つの用語は、本説明の目的に対しては置き換え可能であると考えても良い。セル内の各ＵＥに異なる周波数／時間リソースを割り当てることによって、ＯＦＤＭＡは所定のセル内のＵＥ間の干渉を避けることが出来る。
【０００５】
基本的なＯＦＤＭ方式の更なる変更は、「マルチプルインプットマルチプルアウトプット（multiple-input multiple-output）」を表すＭＩＭＯと呼ばれる。この方式は、送信機と受信機との間で達成可能なデータ容量を高めるために、送信機、及び／又は、受信機（通常は両方）において、複数のアンテナを採用する。一般的に、これは、ｅＮＢと、当該ｅＮＢと通信するユーザ装置（ＵＥ）との間のデータ容量を高めるために使用される。
【０００６】
一例として、２×２「シングルユーザ（single-user）ＭＩＭＯ」（ＳＵ−ＭＩＭＯ）構成は、送信機で２つのアンテナを含み、送信機と通信する単一の受信機で２つのアンテナを含む。同様に、４×４のＳＵ−ＭＩＭＯ構成は、送信機で４つのアンテナを含み、送信機と通信する単一の受信機で４つのアンテナを含む。送信機及び受信機が同じアンテナ数を採用する必要は無い。一般的に、無線通信システムにおけるｅＮＢは、電力、費用、サイズ制限の違いから、ＵＥと比較すると、より多くのアンテナを備えているであろう。また、いわゆる「マルチユーザＭＩＭＯ（multi-user MIMO（ＭＵ−ＭＩＭＯ））」が、しばしば採用されることに留意すべきである。マルチユーザＭＩＭＯは、同時に複数のＵＥとＭＩＭＯ通信を実施することが可能な単一のｅＮＢを含む。このことは、以下でさらに説明される。
【０００７】
「チャネル」という用語は、一般的に、送信機と受信機との間の無線リンクの周波数（または等価的時間遅延）応答（frequency response）を指すために用いられる。ＭＩＭＯチャネル（以下、単に「チャネル」）は、すべてのサブキャリアを含み（上記のサブキャリアについての説明を参照）、送信の全体の帯域幅をカバーする。ＭＩＭＯチャネルは、多くの個々の無線リンクを含む。個々の無線リンクは、それぞれが、個々にシングルインプットシングルアウトプット（single-input single-output（ＳＩＳＯ））チャネルと呼ばれる。個々の無線リンクの数は、ＮＲＸ×ＮＴＸであり、ここで、ＮＴＸは送信機におけるアンテナ数であり、ＮＲＸは受信機におけるアンテナ数である。例えば、３×２ＳＵ−ＭＩＭＯ配列は、６つのリンクを含む。そのため、３×２ＳＵ−ＭＩＭＯ配列は、６ＳＩＳＯチャネルを有する。
【０００８】
図１に概略的に表される簡略化２×３ＳＵ−ＭＩＭＯシステムを考えると、受信機ＲのアンテナＲ０は、送信機Ｔの送信機アンテナＴ０、Ｔ１及びＴ２の各々から送信された信号を受信する（receives transmissions）とも見ることが出来る。同様に、受信機アンテナＲ１は、送信機アンテナＴ０、Ｔ１及びＴ２から送信された信号を受信する（receives transmissions）。したがって、受信機で受信される信号は、送信機アンテナから送信された信号の組み合わせ（すなわち、６ＳＩＳＯチャネルの組み合わせ）を含む（又は、により構成される）。一般に、ＳＩＳＯチャネルは、１又は複数のデータストリーム（data stream）を受信機に送信するために様々な方法により組み合わせることが出来る。
【０００９】
0006288314.tif 000002
【００１０】
0006288314.tif 000003
【００１１】
ここで、（上述された）図１及び図２の両方は、「シングルユーザ（single user）」ＭＩＭＯ（ＳＵ−ＭＩＭＯ）システムに関連があることに注意すべきである。しかし、前述されているように、いわゆる「マルチユーザ（multi-user）」ＭＩＭＯ（ＭＵ−ＭＩＭＯ）が、しばしば採用される。マルチユーザＭＩＭＯは、複数のアンテナを有し、同時に複数のＵＥ（ＵＥの各々が複数のアンテナを有しても良い）とＭＩＭＯ通信を行うことが可能な単一のｅＮＢを含む。ＭＵ−ＭＩＭＯシステムの概略図は、図３に示される。
【００１２】
具体的には、図３は、一般的なＭＵ−ＭＩＭＯシステムを示しており、ｅＮＢは複数の送信アンテナから同一の時間―周波数（time-frequency）で、異なるＵＥにデータを送信する。ＵＥ間の干渉を最小化させるために、ｅＮＢは、プリコーディング（precoding）を行って、送信ビームを生成する。
【００１３】
例えば、ウィキペディア（Wikipedia）によれば、「プリコーディング」は「ビームフォーミング（beamforming）」の一般化であり、マルチアンテナ無線通信におけるマルチストリーム送信をサポートするために使用される。従来のシングルストリームビームフォーミング（single-stream beamforming）では、同一の信号が、信号電力（signal power）が受信機で最大化されるように、適切な重み（位相及び利得）により送信アンテナの各々から発せられる。しかし、受信機が複数のアンテナを有する場合、シングルストリームビームフォーミングは、受信機アンテナの全てにおいて、同時に信号レベルを最大にすることが出来ない。複数の受信アンテナシステムにおいて、スループットを最大化するために、マルチストリーム送信（multi-stream transmission）は、一般的に必要とされる。
【００１４】
上述したように、マルチユーザＭＩＭＯ（ＭＵ−ＭＩＭＯ）において、複数アンテナ送信機は、複数の受信機（受信機のそれぞれが１又は複数のアンテナを有している）と同時に通信する。実装の観点から、ＭＵ−ＭＩＭＯシステムに対するプリコーディングアルゴリズムは、線形及び非線形プリコーディングタイプに分類される。容量達成アルゴリズム（capacity achieving algorithm）は、一般的に非線形であるが、線形プリコーディング手法は、依然として、とても低い複雑さで妥当な性能を得ることが出来る。線形プリコーディング手法は、例えば、最大比送信（maximum ratio transmission（ＭＲＴ））、ゼロフォーシング（zero-forcing（ＺＦ））プリコーディング、及び送信ウィナー（transmit Wiener）プリコーディングを含む。
【００１５】
ポイントツーポイント（point-to-point）ＳＵ−ＭＩＭＯにおいて、性能が最大化するのは明らかである一方で、マルチユーザシステムは、一般的に同時に全てのユーザに対して性能を最大化することは出来ない。したがって、マルチユーザシステムは、多目的の最適化問題（multi-objective optimization problem）を含むと言え、各目的はユーザの１人の容量を最大化することに対応する。この問題に対処する１つの共通の方法は、システム利用関数（system utility function）を選択することである。例えば、システムの主観的なユーザの優先順位に対応する重みによる重みづけされた合計容量（weighted sum capacity）である。
【００１６】
いずれの場合でも、受信側では、ＵＥは、受信された信号からデータを取得するために、ポストコーディング（postcoding）（復号化（decoding））を使用する。
【００１７】
当業者は、プリコーディングが多くの場合、チャネルの状態に依存する（すなわち、「チャネル状態」に依存する）ことは、上述の説明から理解するであろう。下記を参照して頂きたい。
【００１８】
数学的に、ＭＵ−ＭＩＭＯシステムは、上記の簡略化されたシングルユーザＭＩＭＯシステム関係式（式０）を修正することにより、記述（モデル化）することができ、以下のようになる。
【数１】
0006288314.tif 000004
（式１）
【００１９】
式１において、
ｙ（ｉ）はｉ番目のＵＥで受信された信号である。
ｘ（ｉ）はｉ番目のＵＥに対するデータ信号である。
Ｈ（ｉ）はｉ番目のＵＥに対するチャネル行列である。
Ｖ（ｉ）はｉ番目のＵＥのプリコーダ行列である。
ｎ（ｉ）はｉ番目のユーザの付加的白色ガウス雑音である。
【００２０】
ＭＩＭＯ送信方式は、「非適応（non-adaptive）」又は「適応(adaptive)」のいずれかであると言っても良い。非適応の場合、送信機は、チャネルの状態又は性質を知ることは出来ない。言い替えると、送信機は、送信された信号が、「空気中を介して（through the air）」送信されることにより変化する方法を知ることは出来ない。送信機は、例えばチャネルの状態又は性質により生じる変化（チャネルの状態又は性質が、送信された信号の「空気中における」変化にいくらかの影響を与える）を考慮することは出来ないために、「チャネル状態」を知ることが出来ないことは、性能を制限し得る。適応方式は、受信機から送信機までの（すなわち、アップリンク（ＵＬ）における）情報（いわゆる「チャネル状態情報（channel-state information）又はＣＳＩ」のフィードバックに依存する。つまり、適用方式は、状態の変化を考慮し（すなわち、チャネル状態の変化を考慮し）、さらにデータスループットを最大化するために、送信されたダウンリンク（ＤＬ）の修正を許容する。言い替えると、ＣＳＩのフィードバックは、プリコーディングにより促進するために、又はサポートするために用いられる。本発明は、主にＭＩＭＯ方式のこれらの適用型に関連する。アップリンクにおける異なるＵＥからのＣＳＩのフィードバックは、図４に表される。
【００２１】
以下の表は、本明細書における特定の省略形／頭字語を含む：
【表１】
0006288314.tif 000005
【００２２】
本明細書において、先行する若しくは既存のデバイス、装置、製品、システム、方法、実施、刊行物若しくは他の情報、又は、任意の課題若しくは問題を単に参照することは、それらのいずれかが個別に若しくは任意の組み合わせで本分野の当業者の共通の一般的知識の一部を形成しているまたは自認された先行技術であることを、承認するものでも自認するものでもないことを、明確に理解すべきである。
【発明の概要】
【００２３】
第１の広範な形態において、本発明は、無線通信システムにおけるプリコーダマトリクスインジケータ（precoder matrix indicator（ＰＭＩ））を計算する方法に関連する。無線通信システムは、１又は複数のユーザ装置（ＵＥ）と通信可能である無線基地局（ｅＮＢ）、及び基準サブセットとして指定されたサブセットのうちの１つを伴う複数の送信アンテナサブセットに分割するｅＮＢに関連する複数の送信アンテナの集合を含む。ＵＥは、それぞれの複数のサブセットに対する複数のＰＭＩを計算可能であり、ｅＮＢがプリコーディングにおいて使用するために複数のＰＭＩをｅＮＢに報告可能である。この方法は、基準サブセットに対するＰＭＩに基づいて又は用いて、所定のサブセットにするＰＭＩを計算することを含む。
【００２４】
本発明の第１の形態の実施形態において実装される無線通信システムは、マルチプルインプットマルチプルアウトプット（multiple-input multiple-output（ＭＩＭＯ））システムであっても良い。上述のように、ＭＩＭＯシステムでは、ｅＮＢに関連する複数の送信アンテナは、ＵＥに関連する複数の受信機アンテナにより受信することが出来る信号を送信可能である。本発明の第１の形態の実施形態は、マルチユーザＭＩＭＯ（ＭＵ−ＭＩＭＯ）システムにおいて実装することが適切であっても良く、ｅＮＢに関連する複数の送信アンテナは、同時に、複数のＵＥに信号を送信可能であり、複数のＵＥは、複数の受信機アンテナを有する。
【００２５】
本発明の第１の形態の実施形態にとって、多くの場合において少なくとも、ＵＥは、アップリンクにおいて、複数のＰＭＩをｅＮＢに報告可能であることが想定される。このような場合、基準サブセットに対するＰＭＩに基づいて又は当該ＰＭＩを用いて、ＵＥにより所定のサブセットに対するＰＭＩを計算することは、同一のアップリンク送信において、ｅＮＢに報告される基準サブセットに対するＰＭＩに基づいて又は当該ＰＭＩを用いて、所定のアップリンク送信においてｅＮＢに報告される上記所定のＰＭＩを計算することを含んでも良い。言い替えると、（それぞれの送信アンテナサブセットに対する）ＵＥにより計算されたＰＭＩは、同一のアップリンク送信において、ＵＥによりｅＮＢに報告される基準サブセットに対するＰＭＩに基づいても良い。（そして、上述の、先の上りリンク送信において報告された基準サブセットのＰＭＩではない）。このように、ＵＥは、現在の（又は最新の）チャネルの状態に対応するＰＭＩを報告しても良く、その結果、プリコーディングにおいて使用されるチャネルの状態に関する最新の情報をｅＮＢに供給する。
【００２６】
上記に続き、ＵＥによりｅＮＢに報告されるＰＭＩは、一般的にアップリンクにおいてＵＥによりｅＮＢに報告されるチャネル状態情報（channel state information（ＣＳＩ））の一部を形成することが理解される。この点について、ＣＳＩは、一般的にＰＭＩに加えて、ランクインジケータ（rank indicator（ＲＩ））及びチャネル品質インジケータ（channel quality indicator（ＣＱＩ））が含まれることに留意されるべきである。
【００２７】
本発明の第１の形態の多くの実施形態では、ｅＮＢに関連する複数の送信アンテナの集合は、送信アンテナの二次元（２Ｄ）の配列を含んでも良い。このような実施形態では、送信アンテナの配列を分割することは、各グループが送信アンテナサブセットを形成し、サブセットが共通のアンテナを有しないように、アンテナの複数グループを形成するために、個々のアンテナ全体をグループ化すること（grouping）を含んでも良い。一般的に、この分割は、異なる送信アンテナ配列構成に対して事前に定義されるであろう。また、所定のアンテナ配列構成に対して、１よりも多くの取り得る分割配列（パターン）があっても良く、そうである場合、使用される取り得る分割配列（パターン）は、ｅＮＢにより設定（構成）されても良い。
【００２８】
上記の背景技術の章で説明したように、チャネルＨは、ｅＮＢに関連する送信アンテナと、ＵＥに関連する受信機アンテナとの間の無線リンクの周波数応答である。送信アンテナの配列をＮ個の送信アンテナサブセットに分割することは、チャネルをＮ個のサブチャネルに分割することであっても良い。この文脈において、Ｈｎは、ｎ番目のアンテナサブセットのチャネル推定（channel estimate）である。また、サブチャネルは、サイズがＮＲＸ×μＴＸである。ここで、ＮＲＸはＵＥに関連する受信機アンテナ数であり、ＮＴＸはｅＮＢに関連する送信アンテナ数であり、ＮμＴＸ＝ＮＴＸである。
【００２９】
本発明の第１の形態の特定の具体的な実施形態では、ＰＭＩを計算する方法は、以下を含んでも良い。
Ａ）基準サブセット（ｎ＝１）のＰＭＩ  Ｐ１の計算
Ｂ）（基準では無い）アンテナサブセットｎ＝２，．．．，Ｎの各々に対して以下の実施
（ｉ）複合チャネル行列Ｇｎの生成
（ｉｉ）複合プリコーダ候補Ｖｐの生成、及び
（ｉｉｉ）ＰＭＩ  Ｐｎの決定
【００３０】
上述した特定のアルゴリズムを含む本発明の第一の形態の実施形態では、ステップＡ）基準サブセット（ｎ＝１）のＰＭＩ  Ｐ１の計算は、以下により実施される。
【数２】
0006288314.tif 000006
【００３１】
また、上述の特定のアルゴリズムを含む本発明の第１の形態の実施形態では、ステップＢ）（ｉ）複合チャネル行列Ｇｎの生成は、以下により実施される。
【数３】
0006288314.tif 000007
【００３２】
さらに、上述の特定のアルゴリズムを含む本発明の第１の形態の実施形態では、ステップＢ）（ｉｉ）複合プリコーダ候補Ｖｐの生成は、以下により実施される。
【数４】
0006288314.tif 000008
【００３３】
さらに、上述した特定のアルゴリズムを含む本発明の第１の形態の実施形態では、ステップＢ）（ｉｉｉ）ＰＭＩ  Ｐｎの決定は、以下により実施される。
【数５】
0006288314.tif 000009
【００３４】
第２の広範な形態では、本発明は、無線通信システムにおけるプリコーダマトリクスインジケータ（precoder matrix indicator（ＰＭＩ））の計算方法に関連する。無線通信システムは、１又は複数のユーザ装置（ＵＥ）と通信可能である基地局（ｅＮＢ）、及び基準アンテナとして指定されるアンテナの１つを伴う複数のアンテナサブセットに分割されるｅＮＢに関連する複数の送信アンテナの集合を含み、基準アンテナは各アンテナサブセットの一部を形成する。ＵＥは、個々の複数のアンテナサブセットに対する複数のＰＭＩを計算可能であり、ｅＮＢがプリコーディングにおいて使用する複数のＰＭＩをｅＮＢに報告可能である。本方法は、他のアンテナサブセットのいずれのＰＭＩと独立して、所定のアンテナサブセットに対するＰＭＩを計算することを含む。
【００３５】
上述の本発明の第１の形態に対し、本発明の第２の形態の実施形態において実装される無線通信システムは、ＵＥに関連する複数の受信機アンテナにより受信可能である信号を送信可能なｅＮＢに関連する複数の送信アンテナを有するマルチプルインプットマルチプルアウトプット（multiple-input multiple-output（ＭＩＭＯ））システムであっても良い。そして、同様に、上述の本発明の第１の形態に対し、本発明の第２の形態の実施形態は、マルチユーザＭＩＭＯ（ＭＵ−ＭＩＭＯ）システムにおいて実装することが適切であっても良い。ｅＮＢに関連する複数の送信アンテナは、複数のＵＥに対し信号を同時に送信可能であり、複数のＵＥの各々は複数の受信機アンテナを有する。
【００３６】
本発明の第１の形態の実施形態に対し、多くの場合において少なくとも、ＵＥは、アップリンクにおいて、複数のＰＭＩをｅＮＢに報告可能であることが想定される。また、ＵＥからｅＮＢへの各アップリンク送信は、複数のアンテナサブセットのそれぞれに対応する計算されたＰＭＩを含んでも良い。
【００３７】
上述したように、ＵＥによりｅＮＢに報告されるＰＭＩは、一般的に、アップリンクにおいてＵＥによりｅＮＢに報告されるチャネル状態情報（ＣＳＩ）の一部を形成する。ＣＳＩは、一般的に、ＰＭＩに加えて、ランクインジケータ（ＲＩ）及びチャネル品質インジケータ（ＣＱＩ）を含むであろう。
【００３８】
上述の本発明の第１の形態に対し、本発明の第２の形態の実施形態では、ｅＮＢに関連する複数の送信アンテナの集合は、送信アンテナの２次元の（２Ｄ）配列を含んでも良い。しかし、本発明の第２の形態の実施形態の場合では、送信アンテナの配列を分割することは、各グループが送信アンテナサブセットを形成し、基準アンテナが各サブセットにおけるアンテナの１つであるように、アンテナの複数のグループを形成するために個々のアンテナは共にグループ化することを含んでも良い。この分割は、それぞれの送信アンテナ配列構成に対して事前に定義されても良い。また、所定のアンテナ配列構成に対して、１よりも多くの取り得る分割配列（パターン）があっても良く、そうである場合、取り得る分割配列（パターン）はｅＮＢにより設定（構成）されても良い。
【００３９】
本明細書に記載の特徴のいずれもが、本発明の範囲内で、本明細書に記載の他の特徴の１つ以上と任意に組み合わせることが出来る。
【図面の簡単な説明】
【００４０】
本発明の好ましい特徴、実施形態及び変形例は、当業者が本発明を実施するための十分な情報を提供する以下の発明を実施するための形態から説明されても良い。発明を実施するための形態は、いかなる方法により前述の発明の概要の範囲を限定するものとみなされるべきでは無い。発明を実施するための形態は、以下の図面の番号を参照する。
【００４１】
【図１】簡略化された２×３  ＳＵ−ＭＩＭＯシステムを模式的に表す。
【００４２】
【図２】より一般化されたＳＵ−ＭＩＭＯシステムの概念図である。
【００４３】
【図３】一般的なＭＵ−ＭＩＭＯシステムを表し、複数の送信アンテナから同一時間周波数で異なるＵＥにデータを送信し、各ＵＥは複数のアンテナを有していることを表している。
【００４４】
【図４】ダウンリンクにおいてｅＮＢから異なるＵＥへのデータの送信を表し、アップリンクにおいてｅＮＢから異なるＵＥへのＣＳＩのフィードバックを表している。
【００４５】
【図５】送信アンテナの１次元の（１Ｄ）配列（すなわち、１次元のアンテナセット）を模式的に表す。
【００４６】
【図６】送信アンテナの２次元の（２Ｄ）配列（すなわち、２次元アンテナセット）を模式的に表す。
【００４７】
【図７】送信アンテナの２次元の（２Ｄ）配列（すなわち、２次元アンテナセット）が基準サブセットとして指定されたサブセットの１つを伴う複数のアンテナサブセットに分割することが出来る方法の様々な（非制限的な）例を示す。
【００４８】
【図８】送信アンテナの２次元の（２Ｄ）配列（すなわち、２次元アンテナセット）が、基準アンテナとして指定された１つの個々のアンテナを伴う複数のアンテナサブセットに分割することが出来る方法の様々な（非限定的な）例を示す。
【００４９】
【図９】基準として定義されたアンテナサブセットの場合についてのＰＭＩの計算及びプリコーディング処理の図示である。
【００５０】
【図１０】基準として定義された個々のアンテナの場合についてのＰＭＩの計算及びプリコーディング処理の図示である。
【００５１】
【図１１】基準として定義されたアンテナサブセットの場合についての本発明の特定の実施形態にかかるＰＭＩの計算に対するアルゴリズムの図示である。
【発明を実施するための形態】
【００５２】
ＭＩＭＯシステムでは、ｅＮＢは送信アンテナの１次元の（１Ｄ）配列（例として図５を参照）又は送信アンテナの２次元の（２Ｄ）配列（例として図６を参照）を備えることが出来る。２Ｄ送信アンテナ配列の場合、通信チャネルは３次元（３Ｄ）になる。チャネル行列の次元は、とても大きくなり得る。特に、(３−Ｄチャネルを生成する)２−Ｄ送信アンテナ配列は、重要な計算の複雑さにつながり得るからである。重要な計算の複雑さは、ＣＳＩの計算と同様に、プリコーダの計算に関連する。
【００５３】
これらの問題を解決するために（すなわち、上述の計算の複雑さを軽減するために）、ｅＮＢはアンテナセットを複数のサブセットに分割（partition）（すなわち、分割（divide）又はグループ化（group））しても良く、ｅＮＢは、ＵＥ（又は各々のＵＥ）に複数のＰＭＩを計算させ、報告させるようにしても良い。さらに、ＵＥが、（ｅＮＢにより）複数のＰＭＩを計算し、報告する場合、一環として、個々のアンテナ又はアンテナサブセットの１つが、基準として（すなわち、基準アンテナとして、又は基準サブセットとして）指定され／割り当てられても良い。
【００５４】
２Ｄアンテナセットが、基準サブセットとして指定されるサブセットの１つを伴う、複数のサブセットに分割される方法の例は、図７に示される。図７におけるそれぞれの例において、基準サブセットとして指定される特定のサブセットは、各場合において、青／破線で示され、各例における他の（基準では無い）サブセットは、赤／実線で示されていることに留意されたい。また、図７における例において、全体のアンテナ配列が、基準サブセットとして定義されたサブセットの１つを伴う、複数のサブセットに分割される場合、それぞれのアンテナは、１より多くのサブセットを形成しないことに留意されたい。言い替えると、アンテナサブセットは、共通のアンテナを有していない。
【００５５】
一方、図８は、アンテナセット（再度、２−Ｄアンテナ配列）が、複数のサブセットに分割され、アンテナ配列に含まれるそれぞれのアンテナのうちの１つが基準アンテナとして指定される、方法の例を与える。図８では、各場合において、基準アンテナとして指定される特定のアンテナは、青／破線で記載される。また、以下に説明するように、アンテナ配列が、基準アンテナとして指定される配列の個々のアンテナのうちの１つを伴う、複数のサブセットに分割される場合、それぞれの基準アンテナは、実際、複数のアンテナサブセットもしくは全てのアンテナサブセットの一部を形成する。
アンテナサブセットが基準として定義された場合のＰＭＩ計算方法
【００５６】
この見出しに該当する本発明の実施形態は、ＵＥで実施され、エボルブドノードＢが送信アンテナセットを複数のサブセットに分割する、つまりＵＥに複数のＰＭＩを測定／計算し、報告させる場合及びアンテナサブセットの１つが基準として割り当てられる場合において使用されることを意図するＰＭＩ計算方法を含んでも良い。これらの実施形態では、特定のアンテナサブセットに対するＰＭＩのＵＥによる計算は、基準サブセットのＰＭＩに基づいても良い。
【００５７】
例えば、図９に示されるように、ｅＮＢが送信アンテナ配列を複数のアンテナサブセットに分割する場合には、ｅＮＢは（一環として）基準としてサブセットの１つを割り当てても良く、ｅＮＢは、ＵＥに定義されたアンテナサブセットのそれぞれに対するＰＭＩを報告させるようにしても良い。重要なこととして、（アンテナサブセットの１つが基準である場合である）これらの実施形態では、ＵＥは、「共有（joint）」手法として説明され得る方法によりＰＭＩを計算する。より具体的には、それぞれのアンテナサブセットに対して計算されたＰＭＩは、基準サブセットのＰＭＩに基づいている。基準サブセットのＰＭＩに基づいて（又は使用する）、それぞれのアンテナサブセットに対して、ＰＭＩを計算する１つの特定の方法は、以降で説明する。しかし、ｅＮＢが送信アンテナを複数のサブセットに分割し、アンテナサブセットの１つが基準として割り当てられる場合である、これらの実施形態では、基準サブセットのＰＭＩに基づいて（又は使用する）それぞれのアンテナサブセットに対して、ＰＭＩを計算する任意の適切な方法が使用されても良いことは明らかに理解されるべきである。
【００５８】
いかなる場合においても、図９に示すように、ＵＥは、様々なサブセットに対してＰＭＩを（共有手法を用いて）計算し、（アップリンクにおいて）ｅＮＢに計算されたＰＭＩを報告する。そして、ｅＮＢは対応するサブプリコーダ（sub-precoder）を生成するために、報告されたＰＭＩを使用する。その後、ｅＮＢは、ダウンリンクでＵＥに後続のデータ送信に使用するための最終的なプリコーダを生成するために、サブプリコーダを積み重ねる（stacked）。ｅＮＢが対応するサブプリコーダを生成するために報告されたＰＭＩを使用する手段、及び、サブプリコーダが最終的なプリコーダを生成するために積み重ねられる方法は、直接的に本発明に関連しない。したがって、更なる説明は行わない。
【００５９】
送信アンテナの集合をサブセットに分割すること（すなわち、ＴｘＡｎセットを分割すること）は、その結果として、（全体のチャネルがサイズＮＲＸ×ＮＴＸである場合、）全体のチャネルを、サイズがＮＲＸ×μＴＸであるＮ個のサブチャネルへの分割することになる。ここで、ＮμＴＸ＝ＮＴＸである。この分割は、それぞれの送信アンテナ配列構成に対して、事前に定義されても良い。言い替えると、所定の送信アンテナ配列構成は、特定の予め定義された手法により分割されても良く、それぞれのアンテナ配列構成に対して、事前に定義された分割配列（パターン）があっても良い。所定のアンテナ配列構成に対して、１よりも多くの取り得る分割配置（パターン）があっても良い（図７の例はこれを実証している）。そして、使用されるこれらの取り得る分割配置（パターン）は、ｅＮＢにより設定（構成）されても良い。
【００６０】
（アンテナサブセットの１つが基準として定義される状況に適用可能な本発明の特定の実施形態である）ＰＭＩ計算に使用されても良い１つの特定のアルゴリズムは、以下で説明し、図１１に示される。このアルゴリズムでは：
-Ｈｎ（ｎ＝１，．．．Ｎ）はｎ番目のアンテナサブセットのチャネル推定を表す（サイズはＮＲＸ×μＴＸである）
-Ｗｐ（ｐ＝１，．．．Ｎｐ）はＰＭＩコードブックのプリコーダ（コードワード）を表す（サイズはμＴＸ×ＲＩである）、及び
-Ｐｎ（ｎ＝１，．．．Ｎ）はｎ番目のアンテナサブセットのＰＭＩを表す
【００６１】
特定のアルゴリズムは以下の通りである：
Ａ）（基準サブセットと呼ばれる）アンテナサブセット＃１のＰＭＩの計算は以下の計算式を用いる
【数６】
0006288314.tif 000010
（式２）
Ｂ）（基準ではない）アンテナサブセットｎ＝２，．．．，Ｎの各々に対して以下を行う
（ｉ）複合チャネル行列Ｇｎの生成は以下を用いる
【数７】
0006288314.tif 000011
（式３）
（ｉｉ）複合プリコーダ候補の生成は以下を用いる
【数８】
0006288314.tif 000012
（式４）
（ｉｉｉ）ＰＭＩ  Ｐｎの決定は以下を用いる
【数９】
0006288314.tif 000013
（式５）
ｃ）終了
【００６２】
説明したように、アンテナサブセットの１つを基準として定義する場合における動作を意図する本発明の実施形態において、ＵＥによる特定のアンテナサブセットに対するＰＭＩの計算は、基準サブセットのＰＭＩを用いて（又は参照して）行われても良い。これを達成するために考えられる利点の１つは、全体のアンテナ配列の異なるアンテナ素子は、相関性を示すと考えられることから生じる（すなわち、異なる個々のアンテナは相互に関連すると考えられる）。ＰＭＩの計算に対して他の方法では、全体のアンテナ配列のそれぞれのアンテナ素子に対してＰＭＩは、その他とは完全に独立して計算される。これとは対照的に、（アンテナサブセットの１つが基準として定義され、ＵＥによる特定のアンテナサブセットに対するＰＭＩの計算は、基準サブセットのＰＭＩに基づく）本発明のこれらの実施形態において、それぞれのアンテナサブセットに対して計算され、ｅＮＢに報告されるＰＭＩが、アンテナサブセット間で相関があるように、ＰＭＩの計算は、「共有」手法と呼ばれ得る方法で行われる。（つまり、１つのアンテナサブセットに対して、ＰＭＩの計算は、基準サブセットと呼ばれる、他のサブセットのＰＭＩに基づいて行われる）
（アンテナサブセットよりもむしろ）それぞれのアンテナが基準である場合のＰＭＩ計算方法
【００６３】
この見出しに該当する本発明の実施形態は、ＵＥにおいて行われるＰＭＩ計算方法を含むと言っても良い。そして、この見出しに該当する本発明の実施形態は、ｅＮＢが送信アンテナ配列を複数のいわゆる「共有サブセット（joint subset）」に分割し、「共有サブセット」の全てに共通である１つのアンテナが基準として定義される場合において使用されることを意図すると言っても良い。そのような場合では、ＵＥによる特定の共有サブセットに対するＰＭＩの計算は、他の共有サブセットのＰＭＩと独立して行われても良いが、ｅＮＢは、ＵＥに複数のＰＭＩ（すなわち、上記「共有サブセット」の各々に対応するＰＭＩ）を測定し／計算し、報告させても良い。
【００６４】
さらなる説明として、これらの実施形態では、ｅＮＢはこのようにアンテナセット（すなわち、アンテナ配列）を分割しても良い
―（現在「共有サブセット」として参照される）複数のサブセットが存在する
―基準アンテナとして定義された個々のアンテナがある
―基準アンテナは「共有サブセット」のそれぞれを形成する
【００６５】
例えば、図８におけるパターン（１）の例を参照すると、この例におけるアンテナ１は、基準アンテナとして定義され、全体として５つの共有サブセットがある。５つの共有サブセットは、｛１，２，３，４｝、｛１，５，９，１３｝、｛１，６，１０，１４｝、｛１，７，１１，１５｝および｛１，８，１２，１６｝である。このように、これらの実施形態では、例として図８のパターン（１）を用いると、ＰＭＩ計算及びフィードバックを行う目的として、ＵＥは、上述の共有サブセットのそれぞれに対して、ＰＭＩを計算する（各共有サブセットに対してＰＭＩは他の共有サブセットのＰＭＩとは独立して計算される）。その後、ＵＥは、計算したＰＭＩ（すなわち、共有サブセットのそれぞれに対するＰＭＩ）のそれぞれをアップリンクにおいてｅＮＢにフィードバックする。
【００６６】
次に、ｅＮＢ側では、プリコーディングの生成を目的として、ｅＮＢは、サブプリコーダを最初に生成するために、受信したＰＭＩを使用する。そして、基準アンテナに関連するＮ−１個のサブプリコーダの行は削除される。その後、最終的なプリコーダを生成するために、サブプリコーダは積み重ねられる(stacked)。例えば、図８におけるパターン（１）に対して、サブセット｛１，５，９，１３｝、｛１，６，１０，１４｝、｛１，７，１１，１５｝、｛１，８，１２，１６｝に対応するプリコーダの最初の行は、３つの行のみとなるように削除される。そして、最終的なプリコーダを生成するために積み重ねられる。
【００６７】
図８における共有サブセット分割パターン（１）を参照した上述の説明から、当業者は、どのように同一の手法が上記の図８の共有サブセット分割パターン（２）に適用され、又は他の取り得る共有分割パターンに適用されるかを理解することが出来るであろう。
【００６８】
（基準アンテナとして定義された個々のアンテナがあり、基準アンテナが共有サブセットの各々を形成する場合に適用される）本発明のこれらの実施形態は、アンテナ配列の素子間に存在する相関があることが考えられる。これは、これらの実施形態における様々な共有サブセットに対してＰＭＩが他と独立して計算されているとしても、それにもかかわらず、共有サブセットの各々が共通に１つのアンテナを含むからである。すなわち、基準アンテナは、共有サブセットのそれぞれの一部となっているからである。ＰＭＩが計算され、ｅＮＢに報告される、共有サブセットの各々は、共通のアンテナ（基準アンテナ）を含むことから、ＰＭＩにおいて、それぞれのアンテナサブセット間には相関があると考えられる。
【００６９】
（もしあれば）本明細書及び特許請求の範囲において、「含んでいる（comprising）」という単語及びその派生語である「含む（comprises）」及び「含む（comprise）」は、記載された各整数を含むが、１以上の整数を含むことを排除するものではない。
【００７０】
本明細書を通して「一実施形態」又は「実施形態」という言及は、実施形態に関連して説明された特定の特徴、構造又は特性が、本発明の少なくとも１つの実施形態に含まれることを意味する。したがって、本明細書を通して様々な場所における「一実施形態では（において）」又は「実施形態では（において）」という語句の出現は、必ずしも全て同一の実施形態を指すわけではない。さらに、特定の特徴、構造又は特性は、１又は複数の組み合わせで、任意の適切な手法により組み合わせても良い。
【００７１】
法令の順守において、本発明は、構造的又は方法的特徴の多少を言語で具体的に記載されている。本明細書に記載の手段が有効に本発明を実施する好ましい形態を含むことから、本発明は、図示又は説明した特定の特徴に限定されるものではないことは理解されるべきである。したがって、本発明は、（もしあれば）当業者により適切に解釈される添付の特許請求の適切な範囲内で任意の形態又は変形が主張される。
上記の実施形態の一部又は全部は、以下の付記のようにも記載され得るが、以下には限られない。
（付記１）
無線通信システムにおけるプリコーダマトリクスインジケータ（ＰＭＩ）を計算する方法であって、
前記無線通信システムは、１又は複数のユーザ装置（ＵＥ）と通信可能な基地局（ｅＮＢ）及び基準アンテナとして指定されたサブセットの１つを伴う複数のアンテナサブセットに分割される前記ｅＮＢに関連する複数の送信アンテナの集合を含み、
前記ＵＥは前記個々の複数のサブセットに対する複数のＰＭＩを計算可能であり、前記ｅＮＢがプリコーディングにおいて使用するために前記ｅＮＢに前記複数のＰＭＩを報告可能であって、
前記方法は、
前記基準サブセットに対する前記ＰＭＩに基づいて又は使用して所定のサブセットに対するＰＭＩを計算することを含む、方法。
（付記２）
前記無線通信システムはマルチプルインプットマルチプルアウトプット（multiple-input multiple-output（ＭＩＭＯ））システムであり、
前記ｅＮＢに関連する前記複数の送信アンテナは、ＵＥに関連する複数の受信機アンテナにより受信することが出来る信号を送信可能である、
付記１に記載の方法。
（付記３）
前記無線通信システムは、マルチユーザＭＩＭＯ（ＭＵ−ＭＩＭＯ）システムであり、
前記ｅＮＢに関連する前記複数の送信アンテナは複数のＵＥに同時に信号を送信可能であり、前記ＵＥの各々は複数の受信機アンテナを有する、
付記１又は２に記載の方法。
（付記４）
前記ＵＥは、アップリンクにおいて前記ｅＮＢに前記複数のＰＭＩを報告可能である、
付記１乃至３のいずれか１項に記載の方法。
（付記５）
前記基準サブセットに対する前記ＰＭＩに基づいて又は使用して所定のサブセットに対するＰＭＩのＵＥによる前記計算は、同一アップリンク送信における前記ｅＮＢに報告される前記基準サブセットに対する前記ＰＭＩに基づいて又は使用して、所定のアップリンク送信において前記ｅＮＢに報告される前記所定のＰＭＩを計算することを含む、
付記４に記載の方法。
（付記６）
ＵＥにより前記ｅＮＢに報告される前記ＰＭＩは、前記アップリンクにおいて前記ＵＥにより前記ｅＮＢに報告されるチャネル状態情報（ＣＳＩ）の部分を形成する、
付記４又は５に記載の方法。
（付記７）
前記ＣＳＩはランクインジケータ（ＲＩ）及びチャネル品質インジケータ（ＣＱＩ）と同様に前記ＰＭＩを含む、
付記６に記載の方法。
（付記８）
前記ｅＮＢに関連する前記複数の送信アンテナの集合は、送信アンテナの２次元（２Ｄ）配列を含む、
付記１乃至７のいずれか１項に記載の方法。
（付記９）
送信アンテナの前記配列を分割することは、各グループが送信アンテナサブセットを形成し、サブセットが共通のアンテナを有しないように、アンテナの複数のグループを形成するために個々のアンテナをグループ化する（grouping）ことを含む、
付記８に記載の方法。
（付記１０）
前記分割することは、それぞれの送信アンテナ配列構成に対して事前に定義される、
付記９に記載の方法。
（付記１１）
所定のアンテナ配列構成に対して１つ以上の取り得る分割配列（パターン）があること、及び使用される前記取り得る分割配列（パターン）は前記ｅＮＢにより構成される、
付記８又は９に記載の方法。
（付記１２）
前記チャネルＨは、前記ｅＮＢに関連する前記送信アンテナと前記ＵＥに関連する前記受信機アンテナとの間の前記無線リンクの前記周波数応答（frequency response）であり、送信アンテナの前記配列をＮ個の送信アンテナサブセットに分割することは、前記チャネルをＮ個のサブチャネルに分割することであり、Ｈｎはｎ番目のアンテナサブセットの前記チャネル評価である、
付記１乃至１１のいずれか１項に記載の方法。
（付記１３）
前記サブチャネルは、サイズＮＲＸ×μＴＸであって、
ＮＲＸは、前記ＵＥに関連する受信機アンテナの数であり、ＮＴＸは前記ｅＮＢに関連する送信アンテナの数であり、ＮμＴＸ＝ＮＴＸである、
付記１２に記載の方法。
（付記１４）
前記方法は、
Ａ）前記基準サブセット（ｎ＝１）のＰＭＩ  Ｐ１を計算すること
Ｂ）（基準ではない）アンテナサブセット  ｎ＝２，．．．，Ｎの各々に対して以下を行うこと
（ｉ）複合チャネル行列  Ｇｎを生成すること
（ｉｉ）複合プリコーダ候補  Ｖｐを生成すること、及び
（ｉｉｉ）ＰＭＩ  Ｐｎを決定すること
をさらに含む、
付記１２又は１３に記載の方法。
（付記１５）
Ａ）前記基準サブセット（ｎ＝１）の前記ＰＭＩ  Ｐ１を計算することは、以下の式により行われる、
付記１４に記載の方法。
【数１０】
0006288314.tif 000014
（付記１６）
（ｉ）前記複合チャネル行列  Ｇｎを生成することは以下の式により行われる、
付記１４又は付記１５に記載の方法。
【数１１】
0006288314.tif 000015
（付記１７）
（ｉｉ）複合プリコーダ候補  Ｖｐを生成することは以下の式により行われる、
付記１４乃至１６のいずれか１項に記載の方法。
【数１２】
0006288314.tif 000016
（付記１８）
（ｉｉｉ）前記ＰＭＩ  Ｐｎを決定することは以下の式により行われる、
付記１４乃至１７のいずれか１項に記載の方法。
【数１３】
0006288314.tif 000017
（付記１９）
無線通信システムにおけるプリコーダマトリクスインジケータ（ＰＭＩ）を計算する方法であって、
前記無線通信システムは、１又は複数のユーザ装置（ＵＥ）と通信可能な基地局（ｅＮＢ）、及び基準アンテナとして指定されたサブセットの１つを伴う、複数のアンテナサブセットに分割される前記ｅＮＢに関連する複数の送信アンテナの集合を含み、及び前記基準アンテナは各アンテナサブセットの部分を形成し
前記ＵＥは、前記個々の複数のアンテナサブセットに対して複数のＰＭＩを計算可能であって、前記ｅＮＢがプリコーディングにおいて使用するために、前記ｅＮＢに前記複数のＰＭＩを報告可能であり、
前記方法は、
他のアンテナサブセットのＰＭＩと独立して、所定のアンテナサブセットに対してＰＭＩを計算することを含む、方法。
（付記２０）
前記無線通信システムは、マルチプルインプットマルチプルアウトプット（multiple-input multiple-output（ＭＩＭＯ））システムであって、
前記ｅＮＢに関連する前記複数の送信アンテナは、ＵＥに関連する複数の受信機アンテナにより受信することが出来る信号を送信可能である、
付記１９に記載の方法。
（付記２１）
前記無線通信システムは、マルチユーザＭＩＭＯ（ＭＵ−ＭＩＭＯ）システムであり、
前記ｅＮＢに関連する前記複数の送信アンテナは、複数のＵＥに同時に信号を送信可能であり、前記ＵＥの各々は複数の受信アンテナを有する、
付記１９又は２０に記載の方法。
（付記２２）
前記ＵＥは、アップリンクにおいて前記ｅＮＢに前記複数のＰＭＩを報告可能である、
付記１９乃至２１のいずれか１項に記載の方法。
（付記２３）
ＵＥにより前記ｅＮＢに報告される前記ＰＭＩは、前記アップリンクにおいて前記ＵＥにより前記ｅＮＢに報告されるチャネル状態情報（ＣＳＩ）の部分を形成する、
付記２２に記載の方法。
（付記２４）
前記ＣＳＩは、前記ＰＭＩと同様にランクインジケータ（ＲＩ）及びチャネル品質インジケータ（ＣＱＩ）を含む、
付記２３に記載の方法。
（付記２５）
前記ｅＮＢに関連する複数の送信アンテナの前記集合は、送信アンテナの二次元（２Ｄ）配列を含む、
付記１９乃至２４のいずれか１項に記載の方法。
（付記２６）
送信アンテナの前記配列を分割することは、各グループが送信アンテナサブセットを形成し、前記基準アンテナが各サブセットにおける前記アンテナの１つとなるように、アンテナの複数のグループを形成するために個々のアンテナのグループ化する（grouping）ことを含む、
付記２５に記載の方法。
（付記２７）
前記分割は、それぞれの送信アンテナ配列構成に対して事前に定義される、
付記２６に記載の方法。
（付記２８）
所定のアンテナ構成配列に対する１つ以上の取り得る分割配列（パターン）があり、使用される取り得る分割配列（パターン）は前記ｅＮＢにより構成される、
付記２６又は２７に記載の方法。
（付記２９）
１又は複数のユーザ装置（ＵＥ）と通信可能である基地局（ｅＮＢ）、及び基準サブセットとして指定されるサブセットの１つを伴う複数の送信アンテナサブセットに分割される前記ｅＮＢに関連する複数の送信アンテナの集合、を含み、
前記ＵＥは、前記個々の複数のサブセットに対して複数のＰＭＩを計算可能であって、ｅＮＢがプリコーディングにおいて使用する前記複数のＰＭＩを前記ｅＮＢに報告可能であり、
所定のサブセットに対するＰＭＩは、前記基準サブセットに対する前記ＰＭＩに基づいて計算される、
無線通信システム。
（付記３０）
１又は複数のユーザ装置（ＵＥ）と通信可能である基地局（ｅＮＢ）、及び基準アンテナとして指定されるアンテナの１つを伴い、前記基準アンテナが各アンテナサブセットの部分を形成する複数のアンテナサブセットに分割される前記ｅＮＢに関連する複数の送信アンテナの集合を含み、
前記ＵＥは、前記個々の複数のアンテナサブセットに対する複数のＰＭＩを計算可能であって、前記ｅＮＢがプリコーディングにおいて使用する前記複数のＰＭＩを前記ｅＮＢに報告可能であり、
所定のアンテナサブセットに対するＰＭＩは、他のアンテナサブセットのいずれのＰＭＩと独立して計算可能である、
無線通信システム。
【００７２】
この出願は、２０１４年６月１６日に出願されたオーストラリア特許仮出願第２０１４９０２２７７号に基づき、優先権の利益を主張し、その開示内容は全体を参照して本明細書に取り込まれる。
【図１】
0006288314.tif 000018
【図２】
0006288314.tif 000019
【図３】
0006288314.tif 000020
【図４】
0006288314.tif 000021
【図５】
0006288314.tif 000022
【図６】
0006288314.tif 000023
【図７】
0006288314.tif 000024
【図８】
0006288314.tif 000025
【図９】
0006288314.tif 000026
【図１０】
0006288314.tif 000027
【図１１】
0006288314.tif 000028